(57)【要約】      （修正有）【課題】四角形、丸形、ハート形、その他不定形の収納箱を縦列に複数連結可能とし、多様性拡張性の高い状差し兼用小物入れを提供する。【解決手段】箱の底面部３を、収納物を斜め方向からの出し入れを可能とするために傾斜させた２面底にし、箱の前面部１の下部に他の箱を連結するための掛止め部４を設け、裏面部２の上部に他の箱の掛止め部に掛止めする引掛け部５を設ける事により、他の箱と組合せ使用する事を可能とした。【選択図】図１
0003199985.tif 000002
【実用新案登録請求の範囲】
【請求項１】
収納箱は、四角形、丸形、ハート形、何れかの形状を有するもであって、一方に設けた下部にある掛止め部と、他方に設けた上部にある引掛け部が、複数の収納箱を組合せるための共通する連結形状を有し、収納箱の底面部２面を傾斜させ、縦列に連結しても収納がし易い状差し兼用小物入れ。
【請求項２】
請求項１記載収納箱の上方開口部２面に、上から、横から収納物が出し入れ出来る様にするための仕切り板と、前記仕切り板を設ける位置の前面部と裏面部に付けた溝とを有し、仕切り板を溝にスライドさせて自由に取付け取外し、好みの仕切り方法で多様に収納物を出し入れ出来る状差し兼用小物入れ。
【請求項３】
前記収納箱は、四角形の箱である状差し兼用小物入れ。
【請求項４】
請求項１、ないし請求項３の何れかに記載の状差し兼用小物入れは、壁や机、本箱の側面等に取付けるための、共通する連結形状を有する取付け板を備える状差し兼用小物入れ。
【考案の詳細な説明】
【技術分野】
【０００１】  本考案は、壁面に取付けて、葉書や封筒を差し込み収納する状差し、筆記具やハサミ等を収納する小物入れに関する。
【背景技術】
【０００２】  従来の状差しや小物入れは、収納箱が一つの物、同じ形状の収納箱を配列した物で、真上から収納するのが一般的である。デザインや収納方法は、単純な物であり、好みの色、形をした収納箱を、選んで連結使用出来る状差しや小物入れでない。
【考案の概要】
【考案が解決しようとする課題】
【０００３】  従来の状差しは、同じ形の物の連結で上からの出し入れである。小物入れも壁掛け型は、上からの出し入れであるため、縦に連結すると収納物が重なってしまうので、横に固定連結したものが主である。どちらも拡張性に乏しい。
【課題を解決するための手段】
【０００４】  上記課題に本考案は、四角形、丸形、ハート形、その他不定形の収納箱を縦列に複数連結可能とし、収納箱の底面部２面を傾斜面にし、収納物を、上方、左右から自由に出し入れ出来る様仕切り板を設けて、多様性拡張性の高い状差し兼用小物入れを提供する。
【考案の効果】
【０００５】  本考案は、底面部を傾斜させる事で、収納物の出し入れを斜め横からとなり、収納箱を縦方向に連結しても収納物が重ならず使い易くなる事と、仕切り板を使用することにより、上から立てて収納と、左側、右側からの斜め収納と、仕切り板を取外しての大物収納と４通りの使い方が出来る。使用者は、好みの色、形を選び連結組み合わせが出来るし収納方法もいろいろ出来て、部屋に応じた室内装飾品としての使用にもなり、多様性のある状差し兼用小物入れが提供出来る。
【図面の簡単な説明】
【図１】本考案による、異形の状差し兼用小物入れ（一例）の連結を示す斜視図である。
【図２】本考案による、状差し兼用小物入れの連結を示す側面図である。
【図３】本考案により連結用に設ける、掛止め部と引掛け部（一例）を示す斜視図である。
【図４】本考案により設ける、掛止め部と引掛け部（一例）を示す断面図である。
【図５】本考案により取り付ける、仕切り板を示す斜視図である。
【図６】本考案により取り付ける、仕切り板を示す断面図である。
【図７】本考案による状差し兼用小物入れを、壁等に取付ける際に使用する取付け板を示す正面図、側面図である。
【図８】本考案により設ける仕切り板を、左側に２枚取付けた収納を示す断面図である。
【図９】本考案により設ける仕切り板を、右側に２枚取付けた収納を示す断面図である。
【図１０】本考案により設ける仕切り板を、両側に１枚ずつ取付けた収納を示す断面図である。
【図１１】本考案により設ける仕切り板を、２枚共取外した収納を示す正面図である。
【考案を実施するための形態】
【０００６】  本考案を実施するための形態を、以下図に基づき説明する。図１に示す異形の収納箱の連結は、図６に示す様に底面部３と、仕切り板６の形状を共通とし、図３、図４に示す掛止め部４と、引掛け部５の形状も共通であれば、異形の収納箱も連結使用が出来る。一例で図１に示す形のほかに、顔の形や動物の形等、不定形の収納箱も製造出来て連結可能となる。そして色を変えて製造すると、収納箱は多種類となり連結組み合わせは、数えきれない程となる。使用者は、好みの収納箱の組み合わせと、好みの収納方法の選択範囲が広く、さらに、部屋作りやイメージチェンジのワンポイントになるので、長い間インテリア品として使用出来る。そして、１個の金型で製造した収納箱が２個、あるいは３個と連結出来る事は、金型１個当たりで、数種類の組み合わせが出来る事となる。これは、量産するのに適し、低コストで製造が出来る状差し兼用小物入れとなる。
【０００７】  本考案の収納箱は、図３に示す通り、前面部１と、裏面部２と、底面部３が２面と、仕切り板６を設ける開口部が２面で構成し、前面部１の中心部より下方に掛止め部４を設けて、裏面部２の中心部より上方に引掛け部５を設ける。これが１個の収納箱の共通形状であり、単独の状差し兼用小物入れとしても使用出来る。収納箱の連結は、図２、図４に示す通り、前面部１に設けた掛止め部４と、裏面部２に設けた引掛け部５が連結部となり、掛止め部４にＬ字形の窪みを付け、引掛け部５に窪みに合わせたＬ字形の引掛けにして、外れたり回転したりしない連結形状として、掛止め部４に、別の収納箱の引掛け部５を、上から合わせる様にして引掛け嵌め込む。掛止め部４と、引掛け部５の位置と形状は、共通にして異形の収納箱も連結出来る様にする。なお、この連結部は一例であり、別の連結方法も可能である。この形は、収納箱一体を金型による、合成樹脂系の成型で造れるのと、木板やアルミ板等でも作る事が出来る。ただし、金属等の重みのある材質を使用する場合は、誤って落とした時に収納箱の角で怪我をする恐れがあるので、角に丸みを付けたり面取りをした形にする配慮が必要となる。
【０００８】  本考案の特徴とする収納箱は、図５、図６に示す通り収納物を立てて入れたり、斜めに入れたりするための仕切り板６を、収納箱１個当たり２枚作り、仕切るための溝を上部の開口部２面の前面部１と、裏面部２に、それぞれ仕切り板用溝６ａを付ける。仕切り板６は、上からスライドさせ自由に取付け取外し、好みの仕切りが出来る。その仕切りのパターンは、図８に示す様に仕切り板６を、片方の左側に２枚仕切った場合は、収納物を右側から収納となり、図９に示す様に仕切り板６を、右側に仕切った場合は、左側からの収納となる。そして、図１０に示す様に、仕切り板６を左右１枚ずつ仕切った場合は、上から立てて収納が出来る。また、図１１に示す様に仕切り板６を２枚共取外した場合は、左右どちらからでも収納が出来て、さらに大きい収納物も収納出来るし眼鏡掛けにも使える。使用者が、部屋に応じて出し入れ方向を変えられる、多様性のある状差し兼用小物入れとなる。
【０００９】  本考案の取付け板７は、図７に示す通り掛止め部４と同様のＬ字形の窪みを付けて、そこに収納箱の引掛け部５が引掛け嵌め込まれる様になる。壁や机又は本箱の側面等の材質に対応出来る様に、木壁用ネジ穴８を２か所と、木ネジの利かない石膏ボード等の壁用ピン穴９を３か所設ける。この取付け板も取付け方法は一例であり、別の形状や取付け方法もある。ネジやピンも使えない固い壁用には、両面テープによる取付け、及び金属面には、強力磁石による取付け方法もある。
【符号の説明】  １    前面部
２    裏面部
３    底面部
４    掛止め部
５    引掛け部
６    仕切り板
６ａ  仕切り板用溝
７    取付け板
８    取付け板用ネジ穴
９    取付け板用ピン穴
１０    取付け板用ピン
【図１】
0003199985.tif 000003
【図２】
0003199985.tif 000004
【図３】
0003199985.tif 000005
【図４】
0003199985.tif 000006
【図５】
0003199985.tif 000007
【図６】
0003199985.tif 000008
【図７】
0003199985.tif 000009
【図８】
0003199985.tif 000010
【図９】
0003199985.tif 000011
【図１０】
0003199985.tif 000012
【図１１】
0003199985.tif 000013
【手続補正書】
【提出日】平成27年6月25日(2015.6.25)
【手続補正１】
【補正対象書類名】実用新案登録請求の範囲
【補正対象項目名】全文
【補正方法】変更
【補正の内容】
【実用新案登録請求の範囲】
【請求項１】
箱の底面部を、収納物を斜め方向からの出し入れを可能とするために傾斜させた２面底にし、箱の前面部の下部に他の箱を連結するための掛止め部を設け、裏面部の上部に他の箱の掛止め部に掛止めする引掛け部を設ける事により、他の箱と組合せ使用する事を可能とした状差し兼用小物入れの箱。
【請求項２】
請求項１に記載の状差し兼用小物入れの箱において、前面部及び裏面部の形状を、四角形、丸形、ハート形を含む所定の形状とした事を特徴とする状差し兼用小物入れの箱。
【請求項３】
請求項１又は請求項２に記載の状差し兼用小物入れの箱において、箱の上方開口部２面の縁部に、仕切り板を取付けるための溝を付けた事を特徴とする状差し兼用小物入れの箱。
【請求項４】
請求項１から請求項３の何れか１項に記載の状差し兼用小物入れの箱を、複数個組合せて成る状差し兼用小物入れであって、１の箱の掛止めと他の箱の引掛け部とを掛止めする事によって、複数の箱を連結した事を特徴とする状差し兼用小物入れ。